(57)【要約】【課題】夏場の気温の高いときには通気性を十分に確保することができながらも、雨が降った場合でも帽子内に水が入り込むことを抑制することができる帽子を提供する。【解決手段】  帽子本体２が、前側で表側に位置する前側部分を構成する第１生地４Ａと、前側部分を除いた横側部分と後側部分のそれぞれの表側に位置する後側部分を構成する第２生地４Ｂとを備え、前記第２生地４Ｂを通気性を有するメッシュ状部材から構成し、該メッシュ状部材に撥水処理を施した。【選択図】図１
2009161880.tif 000002
【特許請求の範囲】
【請求項１】
帽子本体が、前側で表側に位置する前側部分を構成する第１生地と、前側部分を除いた横側部分と後側部分のそれぞれの表側に位置する後側部分を構成する第２生地とを備え、少なくとも前記第２生地を通気性を有するメッシュ状部材から構成し、該メッシュ状部材に撥水処理を施したことを特徴とする帽子。
【請求項２】
前記第１生地を透湿・防水性を有する生地から構成したことを特徴とする請求項１記載の帽子。
【請求項３】
前記第２生地の裏面に、保形性を有する立体メッシュを備えさせている請求項１又は２記載の帽子。
【請求項４】
前記第１生地の裏面に、吸湿・放湿性を有する裏側生地を備えさせている請求項１〜３のいずれかに記載の帽子。
【請求項５】
前記第１生地と裏側生地との間に、保形性を維持するためのメッシュ状の芯材を備えている請求項４記載の帽子。
【請求項６】
前記第１生地がほぼ同一形状でほぼ同一の大きさからなる２枚の生地からなり、前記第２生地が該第１生地とほぼ同一形状でほぼ同一の大きさからなる４枚の生地からなり、それら６枚の生地を帯状部材を介して繋ぎ合わせることにより前記第１生地及び第２生地を構成し、前記第１生地を構成する２枚の生地とほぼ同一の大きさとなるように前記裏側生地を２枚から構成し、前記前側に位置する生地と該裏側生地とを前記帯状部材を介して一体化している請求項１〜５のいずれかに記載の帽子。
【発明の詳細な説明】
【技術分野】
【０００１】
本発明は、例えばスポーツやアウトドアの他、釣りに際して着用する帽子に関する。
【背景技術】
【０００２】
上記帽子は、日差しを遮って頭部保護の目的で被るものであるが、一部の生地を通気性のある生地にて構成することにより、特に夏場の暑い季節でも、快適に装着することができるようにしている。具体的には、帽子本体を構成する６枚の生地のうちの横側に位置する２枚の生地をメッシュ状部材から構成している（例えば、特許文献１参照）。
【特許文献１】特開２００３−３３１６号公報（図３、図４参照）
【発明の開示】
【発明が解決しようとする課題】
【０００３】
特許文献１の帽子では、雨が降ってきたときには、メッシュ状部材が雨に濡れて内側まで雨水が滲み込んでしまうだけでなく、メッシュの網目を通して帽子内部に雨水が入り込んでしまうことになり、雨降りのときには不向きな帽子であった。
また、メッシュ部分が両横側の２枚の生地のみであるため、通気性もある程度確保することができるものの、２枚の生地の面積では通気性が十分ではなく、改善の余地があった。
【０００４】
本発明が前述の状況に鑑み、解決しようとするところは、夏場の気温の高いときには通気性を十分に確保することができながらも、雨が降った場合でも帽子内に水が入り込むことを抑制することができる帽子を提供することを課題とする。
【課題を解決するための手段】
【０００５】
本発明の帽子は、帽子本体が、前側で表側に位置する前側部分を構成する第１生地と、前側部分を除いた横側部分と後側部分のそれぞれの表側に位置する後側部分を構成する第２生地とを備え、少なくとも前記第２生地を通気性を有するメッシュ状部材から構成し、該メッシュ状部材に撥水処理を施したことを特徴としている。
前記のように前側部分を除いた横側部分と後側部分のそれぞれの表側に位置する後側部分を構成する広い範囲に渡る第２生地をメッシュ状部材から構成することによって、通気性を十分高めて暑さにより帽子内部が蒸れることを良好に抑制することができる。しかも、雨水は撥水処理によって弾き飛ばすことができるから、メッシュ状部材の裏面側まで雨水が滲み込み難いとともにメッシュ状部材に形成されている孔を通して雨水が帽子内部に入り込み難くすることができる。
【０００６】
前記第１生地を透湿・防水性を有する生地から構成してもよい。
【０００７】
前記第２生地の裏面に、保形性を有する立体メッシュを備えさせてもよい。
【０００８】
前記第１生地の裏面に、吸湿・放湿性を有する裏側生地を備えさせてもよい。
【０００９】
前記第１生地と裏側生地との間に、保形性を維持するためのメッシュ状の芯材を備えてもよい。
【００１０】
前記第１生地がほぼ同一形状でほぼ同一の大きさからなる２枚の生地からなり、前記第２生地が該第１生地とほぼ同一形状でほぼ同一の大きさからなる４枚の生地からなり、それら６枚の生地を帯状部材を介して繋ぎ合わせることにより前記第１生地及び第２生地を構成し、前記第１生地を構成する２枚の生地とほぼ同一の大きさとなるように前記裏側生地を２枚から構成し、前記前側に位置する生地と該裏側生地とを前記帯状部材を介して一体化してもよい。
【発明の効果】
【００１１】
第１生地を除く第２生地を通気性を有するメッシュ状部材から構成することによって、帽子内が蒸れることがないように帽子内の湿気を帽子外部に良好に排出することができながらも、撥水処理された第２生地から雨水が入り込んだり第２生地に滲み込むことを良好に抑制することができる。従って、少なくとも前側部分以外の部分の通気性を備えさせることによって、十分な通気性を得ることができるから、特に暑い時期でも快適に過ごすことができながらも、雨が降った場合でも不快になることがない又は少ない帽子を提供することができる。尚、第１生地も第２生地と同様に通気性を有するメッシュ状部材から構成することによって、特に暑い時期において更に快適に過ごすことができる。
【００１２】
前側部分である第１生地透湿・防水性を有する生地から構成することによって、特に前側からの雨水等の水滴が第1生地を通すことを確実に阻止することができながらも、帽子内の湿気を第１生地を通して外部に排出することができる利点がある。
【００１３】
前記第２生地の裏面に、保形性を有する立体メッシュを備えさせることによって、前側部分を除く広い範囲に渡って保形性の乏しいメッシュ状部材が特に雨に濡れたときでも型崩れすることが無く、保形性を保つことができる意匠感において優れた商品価値の高い帽子にすることができる。
【００１４】
前記第１生地の裏面に、吸湿・放湿性を有する裏側生地を備えさせることによって、特に汗をかきやすい額等の前頭部からの汗を裏側生地にて確実に吸収して第１生地を通して帽子外部に排出することができる。
【００１５】
前記第１生地と裏側生地との間に、保形性を維持するためのメッシュ状の芯材を備えさせることによって、裏側生地が汗を吸収して保形性が低下している場合でもメッシュ状の芯材にて前側部分が型崩れすることがなく、常に形が整えられた意匠感に優れた帽子にすることができる。しかも、芯材が通気性を有しているため、裏側生地にて吸収した汗を芯材、第１生地を介して外部に排出することができる。
【００１６】
前記第１生地がほぼ同一形状でほぼ同一の大きさからなる２枚の生地からなり、前記第２生地が該第１生地とほぼ同一形状でほぼ同一の大きさからなる４枚の生地からなり、それら６枚の生地を帯状部材を介して繋ぎ合わせることにより前記第１生地及び第２生地を構成し、前記第１生地を構成する２枚の生地とほぼ同一の大きさとなるように前記裏側生地を２枚から構成し、前記前側に位置する生地と該裏側生地とを前記帯状部材を介して一体化することによって、表側生地と裏側生地とを別々に縫着する場合に比べて縫着工程の簡素化を図ることができ、製造面において有利になるだけでなく、裏側生地を必要最小限の２枚とすることで更に製造面において有利になる。
【発明を実施するための最良の形態】
【００１７】
図１〜図３に、釣りに際して好適に使用することができる釣り用帽子（以下において、単に帽子という）１を示している。
この帽子１は、頭部を覆い被せることができるほぼ半球状の帽子本体（クラウン部とも言う）２と、この帽子本体２の底部周縁の特定箇所（図では周縁のほぼ１／３を占める箇所）、つまり前端部の底部に一端が縫着されて連結された鍔部３とを備えた野球帽タイプに構成されている。
【００１８】
前記帽子本体２は、ほぼ同一形状でかつほぼ同一の大きさに構成されたほぼ三角形状の６枚の表側生地４と、前側に位置する２枚の表側生地４に対応する裏側に配置されるほぼ三角形状の２枚の裏側生地５と、これら表側生地４同士を繋ぎ合わせるとともに２枚の裏側生地５をこれに対応する２枚の表側生地４に縫着により一体化するための３本の帯状部材６とを備えている。具体的には、６枚の表側生地４を円周方向に配置するとともに、円周方向で隣り合う表側生地４の横側端部を内側に折り込んで横側端部同士を隙間無く対向位置させ、その状態でそれら隣り合う生地４，４の繋ぎ目に内側（裏側）から３本の直線状の帯状部材６を当て付けてから縫着している。そして、前側に位置する２枚の表側生地４を縫い合わせるときに、２枚の裏側生地５も合わせて縫い合わせることによって、２枚の表側生地４と２枚の裏側生地５とを一体化するようにしている。従って、表側生地４を縫い合わせてから表側生地４に裏側生地５を縫い合わせる場合に比べて、縫着工程数を減らすことができ、縫着作業を迅速に行うことができる。
【００１９】
前記６枚の表側生地４のうちの前側部分に位置する第１生地４Ａ，４Ａの２枚は、透湿・防水性を有する生地から構成されている。具体的には、生地やフィルムに、水滴よりも小さく水蒸気よりも大きな孔を多数形成し、孔が形成された生地やフィルムに撥水加工を施すことにより透湿・防水性を有する生地を得ることができ、例えばゴアテックス（商標登録）や東レのエントラントなどを用いることができる。
従って、雨水等の水滴が第１生地４Ａ，４Ａを通して帽子内部に入り込むことを阻止することができながらも、帽子内の水蒸気（湿気）を第１生地４Ａ，４Ａを通して帽子外部へ排出して帽子内が蒸れないようにしている。
【００２０】
前記残りの４枚の表側生地４、つまり両横側部分の２枚と後側部分の２枚からなる４枚の第２生地４Ｂのそれぞれは、メッシュ状部材からなるとともに撥水処理を施して、通気性を有するとともに雨水を弾き飛ばす機能を備えている。
そして、図３及び図５に示すように、前記メッシュ状部材からなる４枚の第２生地４Ｂのそれぞれの裏面には、同一形状で同一の大きさのほぼ三角形状の立体メッシュ７を備えている。これら４枚の立体メッシュ７も前記同様に帯状部材６にて一体化されている。
前記各表側生地４の上部には、通気口４Ｋが形成され、その通気口４Ｋが大きくなることがならないように糸にて放射状に縫って菊孔に構成している。この通気孔４Ｋも撥水処理が施され、雨水が通気口４Ｋを通して帽子内部に入り込むことがないようにしている。尚、前記通気孔４Ｋの大きさは、水蒸気は通すことができるが、雨水を通すことができない大きさに形成することになる。
【００２１】
具体的には、前記第２生地４Ｂを構成するメッシュ状部材は、ポリエステル１００％の素材からなり、糸使い７５ｄ（デニール）／３６ｆ（フィラメント）、ゲージ数２８Ｇであり、編みが経て編みにて構成されている。なお、糸は伸縮性を有するウーリー糸を使用することもできる。
【００２２】
また、２枚の裏側生地５のそれぞれは、吸湿・放湿性を有する生地から構成されている。具体的には、吸湿・放湿性を有する例えばナイロンやセルロース系繊維などを使用して生地を構成する、またはポリエステル系繊維やアクリル系繊維の少なくとも一種を例えばナイロンやセルロース系繊維などとともに用いて生地を構成することもできる。
このように２枚の裏側生地５を吸湿・放湿性を有する生地から構成することによって、特に額にかいた汗を２枚の裏側生地５にて吸水するとともに前記表側生地４を通して外部に排出することができるようになっている。従って、汗をかく暑い時期でも、帽子内部がムレることなく快適に装着することができる帽子を構成することができる。
【００２３】
図３〜図５に示すように、前記帽子本体２の底部内面側のうち、帽子本体２の後側に備えたサイズ調整部８を除いた部分に、帯状のビン皮部９を備えている。このビン皮部９も前記同様に吸湿・放湿性を有する生地から構成して、頭部のうちのビン皮部９に接触する部分からの汗を、該ビン皮部９にて吸収するとともに表側生地４を通して外部に排出することができるようにしてもよい。
前記ビン皮部９の裏面側、つまり帽子本体２側に、吸湿・放湿性を有する帯状生地１６をビン皮部９の幅方向ほぼ中央に位置させて縫着している。この帯状生地１６は、ビン皮部９よりも幅狭に構成され、かつ、ビン皮部９とほぼ同一長さに構成されている。
【００２４】
図４に示すように、帽子本体２の前側部分を構成する前記２枚の裏側生地５，５とこれに対向位置する２枚の表側生地４，４との間に、保形性を高めるためのメッシュ状の芯材１０を備えて、裏側生地５，５が汗を吸収することにより、帽子本体２の前側部分が型崩れすることがないようにしている。
そして、前記芯材１０をメッシュ状にすることによって、裏側生地５，５にて吸収した汗等が芯材１０にて遮蔽されることがなく、芯材１０を通して表側生地４，４側へ移動させて該表側生地４，４から外部に汗を排出することができるようになっている。前記芯材１０は、高分子繊維からなる不織布の他、通気性を有する織布又は編布を用いることができる。
【００２５】
図２及び図３に示す１１は、帽子に連結された帽子用ストラップであり、この帽子用ストラップ１１は上着の衿等に挟み込ませる一対の挟持部１２，１３と、これら挟持部１２，１３の基端部に一端が連結された帯状で長尺な（少なくとも帽子と上着の衿までの長さがあればよい）紐やゴム等からなる連結体１４とからなっている。前記連結体１４の他端は、帽子の後側で下部位置に前記サイズ調整部８と帽子本体２の裏側との間にサンドイッチされた状態で縫着されている。そして、前記連結体１４の中間部をビン皮部９の後側に形成の開口部９Ａを通してビン皮部９の内部に入り込ませることによって、帽子用ストラップの不要時において長さのある連結体１４が帽子外に飛び出すことがないようにしている。尚、前記不要時に一対の挟持部１２，１３を帽子の横側に備えた後方が開口されたポケット部１５に一方の挟持部１２を差し込んで挟持固定することができるようになっている。
【００２６】
前記実施形態では、前側に位置する２枚の第１生地４Ａ，４Ａに対応する２枚の裏側生地５，５を備えさせた場合を示したが、他の４枚の少なくとも１枚に裏側生地５を備えさせてもよい。また、表側生地４を６枚から構成したが、何枚で構成してもよい。
【００２７】
前記サイズ調整部８は、リング状の金具８Ａに挿入された面ファスナー８Ｍを内面に備えた長さ調整用バンド８Ｂとからなっているが、他の構成であってもよいし、  サイズ調整部が省略された帽子であってもよい。
また、帽子としては、野球帽タイプを示したが、帽子本体の底部周縁の全域に渡って鍔部を備えさせたハットタイプの帽子であってもよい。
また、２枚の第１生地４Ａ，４Ａも第２生地４Ｂと同様にメッシュ状部材から構成するとともにこれらメッシュ状部材でなる第１生地４Ａ，４Ａに前記撥水処理を施して、オールメッシュ撥水タイプの帽子に構成してもよい。
【図面の簡単な説明】
【００２８】
【図１】帽子を前側から見たときの斜視図である。
【図２】帽子を後側から見たときの斜視図である。
【図３】帽子の底面図である。
【図４】帽子本体の前側の下側部分を上下方向で切断した縦断面図である。
【図５】図１におけるａ−ａ線断面図である。
【符号の説明】
【００２９】
１…帽子、２…帽子本体、３…鍔部、４…表側生地、４Ｋ…通気口、５…裏側生地、６…帯状部材、７…立体メッシュ、８…サイズ調整部、８Ａ…金具、８Ｂ…長さ調整用バンド、８Ｍ…面ファスナー、９…ビン皮部、９Ａ…開口部、１０…芯材、１１…帽子用ストラップ、１２，１３…挟持部、１４…連結体、１５…ポケット部、１６…帯状生地
【図１】
2009161880.tif 000003
【図２】
2009161880.tif 000004
【図３】
2009161880.tif 000005
【図４】
2009161880.tif 000006
【図５】
2009161880.tif 000007